(57)【特許請求の範囲】
【請求項１】
集合住宅等の建物の躯体スラブ上に敷設される床下地用パネルであって、敷設される部屋の一辺方向の内法寸法と略同じ長さを有し、長尺状の床下地用パネルと、上記躯体スラブの端部付近上に設置される支持脚から構成され、上記床下地用パネルが、長尺状の上面板および下面板と、これらの面板を一体的に接合して所定間隔で保持すると共に多数の中空部を形成するリブと、上記下面板の長辺の両側端部付近に沿って一体形成された支持脚取付け溝から成り、アルミニウム製又はアルミニウム合金製の金属押出形材から構成される床下地用パネルによる床構造において、上記下面板の長辺の両側端部において中間部より上方に位置するように段差が形成され、この段差部分に上記支持脚取付け溝が形成されてなることを特徴とする床下地用パネルによる床構造。
【請求項２】
上記上面板と下面板とリブをトラス構造に構成したことを特徴とする請求項１に記載の床下地用パネルによる床構造。
【請求項３】
上記中空部に吸音物質および／または防振物質を充填したり、これらの物質を上記上下面板やリブに付着せしめたことを特徴とする請求項１または２に記載の床下地用パネルによる床構造。
【請求項４】
上記下面板に適宜穴をあけたことを特徴とする請求項１、２または３に記載の床下地用パネルによる床構造。
【請求項５】
上記支持脚取付け溝が中空部に内包されていることを特徴とする請求項１、２、３、または４に記載の床下地用パネルによる床構造。
【請求項６】
上記両側端部に、隣接する床下地用パネルとの接合手段を設けたことを特徴とする請求項１、２、３、４、または５に記載の床下地用パネルによる床構造。
【請求項７】
上記床下地用パネルが、１００〜６００ｍｍの幅を有することを特徴とする請求項１ないし６のいずれかの項に記載の床下地用パネルによる床構造。
【請求項８】
上記支持脚の下端部に防振ゴムを取り付けたことを特徴とする請求項１ないし７のいずれかの項に記載の床下地用パネルによる床構造。
【請求項９】
隣接する床下地用パネルとの間に隙間を設けて床下地用パネルを設置することを特徴とする請求項１ないし８のいずれかの項に記載の床下地用パネルによる床構造。
【請求項１０】
隣接する床下地用パネルとの間に隙間を設けないで床下地用パネルを設置することを特徴とする請求項１ないし８のいずれかの項に記載の床下地用パネルによる床構造。
【発明の詳細な説明】
【０００１】
【発明の属する技術分野】
本発明は、集合住宅等の建物における床下地用パネルによる床構造に関する。
【０００２】
【従来の技術】
従来のこの種の床構造としては、躯体スラブの上に防振ゴムを介して大引き材を設置し、該大引き材の上に根太を置き、該根太上に捨貼りを行ない、さらにその上に畳やフローリング或いは絨毯などの仕上げ貼りを行なっていたものや、５００〜１０００ｍｍ角程度の防振支持脚付きパネル（従って、防振支持間隔も５００から１０００ｍｍ）をスラブ上に配置し、その上に、フローリング或いは畳などの仕上げをした防振置床が一般的であった。また、従来のビジネス用のフリーアクセスフロアーにおいては、支持脚の付いた床下地用パネル（例えば５００ｍｍ角のアルミニウム製、樹脂製等のパネル）を隙間なく敷き詰めて、その上に捨貼りや仕上げ貼りを行なっていた。
【０００３】
しかしながら、上記従来の床構造は、防振支持脚の間隔５００〜１０００ｍｍ程度と狭く、建物構造躯体スラブの剛性の低いスラブ中間部にも支持点があり、しかもその支持点の数が多いため、遮音性能（床衝撃音性能）があまり良くない等の問題点があった。遮音性能を良くするためには、支持脚間隔を広くする必要があるが、その場合には、大引の断面を大きくする必要があり、結果として仕上げ面が高くなり、居住空間が狭くなることや、コストが上がったり、手間が掛って施工が困難である等の問題点があった。また、従来の根太による床構造では水平度やレベル調整が困難である等の問題点もあり、施工も複雑であった。
【０００４】
【発明が解決しようとする課題】
本発明は、上記従来の問題点を解決するためになされたもので、その目的とするところは、遮音性や施工性、経済性に優れた床下地用パネルによる床構造を提供することにある。
【０００５】
【課題を解決するための手段】
本発明の床下地用パネルによる床構造は、集合住宅等の建物の躯体スラブ上に敷設される床下地用パネルであって、敷設される部屋の一辺方向の内法寸法と略同じ長さを有し、長尺状の床下地用パネルと、上記躯体スラブの端部付近上に設置される支持脚から構成され、上記床下地用パネルが、長尺状の上面板および下面板と、これらの面板を一体的に接合して所定間隔で保持すると共に多数の中空部を形成するリブと、上記下面板の長辺の両側端部付近に沿って一体形成された支持脚取付け溝から成り、アルミニウム製又はアルミニウム合金製の金属押出形材から構成される床下地用パネルによる床構造において、上記下面板の長辺の両側端部において中間部より上方に位置するように段差が形成され、この段差部分に上記支持脚取付け溝が形成されてなることを特徴とする。また、上記上面板と下面板とリブをトラス構造に構成したことを特徴とする。さらに、上記中空部に吸音物質および／または防振物質を充填したり、これらの物質を上記上下面板やリブに付着せしめたことを特徴とする。又更に、上記下面板に適宜穴をあけたことを特徴とする。更にまた、上記支持脚取付け溝が中空部に内包されていることを特徴とする。また、上記両側端部に、隣接する床下地用パネルとの接合手段を設けたことを特徴とする。さらに、上記床下地用パネルが、１００〜６００ｍｍの幅を有することを特徴とする。又更に、上記支持脚の下端部に防振ゴムを取り付けたことを特徴とする。また更に、隣接する床下地用パネルとの間に隙間を設けて床下地用パネルを設置することを特徴とする。更にまた、隣接する床下地用パネルとの間に隙間を設けないで床下地用パネルを設置することを特徴とする。
【０００６】
また、本発明の床下地用パネルによる床構造は、床下地用パネルの長手方向端部における支持脚取付け溝にのみ支持脚を取り付けて、建物の躯体スラブ上に設置することを特徴とする。また、上記支持脚が、防振ゴムと、支持金具と、ボルトと、ナットにより構成されたことも特徴とする。さらに、隣接の床下地用パネル同士は、使用目的等に応じて、それらの間に隙間を設けてもよく、隙間を設けなくてもよい。
【０００７】
【発明の実施の形態】
以下、本発明の実施例について図面を参照しながら説明する。図１において、１は建物の躯体であるスラブ、２は壁であって、該スラブ１上に床下地用パネル３、捨貼材４およびフロリング材、畳、絨毯等の仕上材５が順次積層されている。
【０００８】
上記床下地用パネル３は、例えば、１００〜６００ｍｍ程度の幅と、敷設する部屋の両側壁２間の長さを有する長尺状のアルミニウム合金などの金属押出形材であって、例えば、図２に示すように、長尺状の上面板３ａと、該上面板３ａと同じ形状を有する下面板３ｂと、これらの面板３ａ、３ｂを一体的に接合して３０〜３００ｍｍ程度の間隔で平行に保持すると共に多数の中空部３ｃを形成するリブ３ｄと、上記下面板３ｂの下側（外面）に一体的に設けられた支持脚取付け溝３ｅから構成されている。
【０００９】
上記支持脚取付け溝３ｅには支持脚６が取り付けられている。該支持脚６は、錐台形の防振ゴム６ａと、その上部に一体的に取り付けられメネジが形成された支持金具６ｂと、該支持金具６ｂに螺合するボルト６ｃと、該ボルト６ｃに螺着して支持脚６を上記支持脚取付け溝３ｅに固定するためのナット６ｄから構成されている。該ボルト６ｃを回転させることにより、上記床下地用パネル３の高さ（レベル）を調整することができる。なお、上記支持脚取付け溝３ｅの支持脚取付け位置に対応した上面板３ａ部分に、穴３ａ′を開けて、この穴３ａ′からドライバ等の工具を差し込んで上記ボルト６ｃを回転させてレベル調整することができる。尚，６ｄ′はロックナットで使用時におけるボルトの回転を防止するものであるが省略してもよい。
【００１０】
図３に示すように、上記スラブ１上には多数枚の床下地用パネル３が相互に所定の隙間（例えば４２．８ｍｍ程度）を開けて、上記支持脚６に防振支持された状態で並設されている。該床下地用パネル３は部屋の両側壁２間の長さを有し、しかも、該床下地用パネル３を防振支持する支持脚６が支持脚取付け溝３ｅの端部に取付け配置されていて、床下地用パネル３の長手方向の両端部のみを支持していて、床下地用パネル３の中間部は支持しないようになっている。
【００１１】
上記中空部３ｃ内にグラスウール、発泡合成樹脂などの吸音物質や、粘弾性の防振物質をそれぞれ単独であるいは組み合わせて充填したり、上面板３ａや下面板３ｂの内面やリブ３ｄの表面に付着せしめることにより、床下地用パネル３の遮音性能を更に向上させてもよい。また、床下地用パネル３の必要な構造強度を損なわない範囲で、上記下面板３ｂに適宜穴をあけて遮音性能を更に向上せしめてもよい。また、床下地パネルの配設間隔も広げることができる。
【００１２】
図４（Ａ）は、上記支持脚取付け溝３ｅを床下地用パネル３の幅方向の端部下側に形成した別の実施例を示すもので、本構成により床下地用パネル３を極めて安定して支持することができる。
【００１３】
図４（Ｂ）は、上記支持脚取付け溝３ｅを床下地用パネル３の下面板３ｂより中空部３ｃ内に内包させて形成した更に別の実施例を示すもので、本構成により床下地用パネル３の表面から突出物がなくなり、床下地用パネル３の平積みが可能となって運搬コストが低減できる。又、運搬時に支持脚取付け溝３ｅの破損を防止できる。さらに、床構造の全高さを低くして居住空間を広くすることができる。なお、上記支持脚取付け溝３ｅは下面板３ｂより更に内方に設けても良い。
【００１４】
図４（Ｃ）は、図４（Ｂ）の実施例の支持脚取付け溝３ｅを床下地用パネル３の幅方向の端部に形成した更にまた別の実施例を示すもので、本構成により上記利点に加えて床下地用パネル３を極めて安定して支持することができる。
【００１５】
図５（Ａ）は、上記支持脚取付け溝３ｅを床下地用パネル３の幅方向の端面部に形成した別の実施例を示すもので、下面板３ｂは両側端部において中間部より上方に位置するように段差が形成され、この部分に支持脚取付け溝３ｅを形成した実施例である。本構成により床下地用パネル３を極めて安定して支持することができるだけでなく、図示のように、該支持脚取付け溝３ｅに取付けた支持脚６の防振ゴム６ａが下面板３ｂのレベルより上に位置することが可能となり、その結果、床構造の全高さを更に低くして居住空間を更に広くすることができる。特に、支持脚６全体を下面板３ｂより上（上面板３ａ側）に完全に納めることができる場合には、支持脚６を取り付けた状態でも平積みが可能となる。
【００１６】
図５（Ｂ）は、図５（Ａ）の実施例と同様に、上記支持脚取付け溝３ｅを床下地用パネル３の幅方向の端面部に形成した又別の実施例を示すもので、本構成においては、上記利点に加えて構造強度が強く、安定した床下地用パネル３を提供することができる。
【００１７】
図２に示す床構造の実施例では複数の床下地用パネル３を所定間隔を空けて並設したが、床下地用パネル３同士を隙間なく接触させた状態で敷設させてもよい。この場合、図６（Ａ）に示すように、床下地用パネル３の一側端に凸部３ｆを、他側端に凹部３ｇを形成して接合手段を形成し、図６（Ｂ）にように相互に接合させてもよい。本実施例においては、上記捨貼材４を省略することができる。
【００１８】
【実施例】
スラブ２００ｍｍＲＣの上に、アルミニウム合金（ＪＩＳ  Ａ６０６３  Ｔ６押出材）製の幅５４１ｍｍ、高さ７０ｍｍの床下地用パネル（図４（Ａ））を４３ｍｍ間隔で配設し、その上に捨貼としてコンパネ（ｔ＝１２ｍｍ）を貼り、捨貼の上にフローリング（ｔ＝１５ｍｍ）を施工し、床下地用パネルとスラブ間を６０ｍｍとし、５０ｍｍ厚でグラスウール（３２Ｋｇ／ｍ３）を配設した床構造を持つ部屋（壁にも防音施工してある）において音を発生させ、防音施工を施していない階下の部屋で平均音圧レベル差（Ｄ値）を測定した。その結果、Ｄ−Ｎｕｍ＝６９と高い遮音性が得られた。比較対象として床を躯体スラブのみとし、壁部分を同条件とした場合は、Ｄ−Ｎｕｍ＝５１であり、本発明が有効であることがわかった。また、床衝撃音レベルも、軽量床襲撃音レベルＬＬ−Ｎｕｍ＝３４、重量床襲撃音レベルＬＨ−Ｎｕｍ＝４６と良好な結果を得た。
【００１９】
【発明の効果】
１）
下面板の長辺の両側端部において中間部より上方に位置するように段差が形成され、この段差部分に支持脚取り付け溝が形成されてなるので、躯体スラブから床下地用パネルまでの間隔の調整代が大きくなり使用形態を広げることができる。
２）
上面板と下面板とリブをトラス構造に構成することにより、肉厚を薄くして軽量で高強度の床下地用パネルを構成することができる。
３）
中空部に吸音物質および／または防振物質を充填したり、これらの物質をリブ等に付着せしめることにより、また、下面板に適宜穴をあけることにより、床下地用パネルの遮音性能を更に向上せしめることができる。
４）
下面板に適宜穴をあけることにより、遮音性能をさらに向上せしめることができる。
５）
支持脚取付け溝を中空部に内包するように構成することにより、床下地用パネルを平積み状態で収納したり運搬時に取付け溝の破損を防止することができる。
６）
床下地用パネルの両側端部に適宜接合手段を設けることにより、隣接の床下地用パネル同士を段差なく安定して設置することができる。
７）
支持脚の下端部に防振ゴムを取り付けたことにより、パネルと躯体スラブ間の振動の伝達を抑え、遮音性能をさらに向上せしめることができる。
８）
隣接の床下地用のパネルとの間に隙間を設けて設置することにより、床下地用パネルの設置数を少なくしてコストを低減することができ、また、隙間を設けることにより施工が容易となる。
９）
隣接の床下地用パネルとの間に隙間を設けないで設置することにより、床の利用状況に応じて捨貼材を省略することができ、経済的である。
【図面の簡単な説明】
【図１】本発明の床構造の一実施例を示す一部切欠き分解斜視図である。
【図２】図１の実施例の床下地用パネルおよび支持脚の構成図である。
【図３】図１の床構造の平面図（Ａ）、図１（Ａ）のイ矢視図（Ｂ）、図１（Ａ）のロ矢視図（Ｃ）である。
【図４】床下地用パネルの別の各実施例を示す部分構造図（Ａ）（Ｂ）（Ｃ）である。
【図５】床下地用パネルの更に別の各実施例を示す部分構造図（Ａ）（Ｂ）である。
【図６】相互の接合に適した床下地用パネルの実施例を説明する図である。
【符号の説明】
１  スラブ
２  壁
３  床下地用パネル
３ａ  上面板
３ｂ  下面板
３ｃ  中空部
３ｄ  リブ
３ｅ  支持脚取付け溝
３ｆ  凸部
３ｇ  凹部
４  捨貼材
５  仕上材
６  支持脚
６ａ  防振ゴム
６ｂ  支持金具
６ｃ  ボルト
６ｄ  ナット
６ｄ′ロックナット
【図１】
0003595929.tif 000002
【図２】
0003595929.tif 000003
【図３】
0003595929.tif 000004
【図４】
0003595929.tif 000005
【図５】
0003595929.tif 000006
【図６】
0003595929.tif 000007